(57)【特許請求の範囲】
【請求項１】
充電対象機器であって、
バッテリと、
無線充電装置によって送信された電磁信号を受信する無線受信回路であって、前記電磁信号を前記無線受信回路の出力電圧と出力電流とに変換するための無線受信回路と、
前記バッテリと前記無線受信回路との間に接続され、前記無線受信回路の出力電圧を受信し、前記無線受信回路の出力電圧を降圧処理して、前記バッテリを充電するための降圧回路と、
前記降圧回路により出力された電圧及び／又は電流を検出するための検出回路と、
前記無線充電装置が前記電磁信号の送信電力を調整するように、前記検出回路によって検出された電圧及び／又は電流に基づいて、前記無線充電装置と通信するための制御回路と、
定電圧定電流回路と、を含み、
前記定電圧定電流回路は、前記無線受信回路と前記降圧回路との間に接続され、前記無線受信回路の出力を定電圧制御及び／又は定電流制御し、又は
前記定電圧定電流回路は、前記降圧回路と前記バッテリとの間に接続され、前記降圧回路の出力を定電圧制御及び／又は定電流制御し、
前記降圧回路の降圧変換効率は前記定電圧定電流回路の降圧変換効率より高く、前記降圧回路の降圧の電圧差は前記定電圧定電流回路の降圧の電圧差より大きい、
ことを特徴とする充電対象機器。
【請求項２】
前記降圧回路はチャージポンプであり、前記チャージポンプの出力電圧と入力電圧との比率は、１／２、１／３、２／３、１／４のうちのいずれかである、
ことを特徴とする請求項１に記載の充電対象機器。
【請求項３】
前記充電対象機器は、
前記検出回路によって検出された電圧及び／又は電流に基づいて、前記定電圧定電流回路の定電圧プロセス及び／又は定電流プロセスを制御するための定電圧定電流制御回路をさらに含む、
ことを特徴とする請求項１に記載の充電対象機器。
【請求項４】
前記定電圧定電流回路が前記無線受信回路と前記降圧回路との間に接続され、前記降圧回路は前記定電圧定電流回路の出力電圧を受信し、当該定電圧定電流回路の出力電圧を降圧処理する、
ことを特徴とする請求項３に記載の充電対象機器。
【請求項５】
前記定電圧定電流回路は、Ｂｕｃｋ回路又は低ドロップアウトリニアレギュレータを含む、
ことを特徴とする請求項３に記載の充電対象機器。
【請求項６】
前記バッテリは、互いに直列接続されたＮ個のセルを含み、Ｎは１より大きい正の整数である、
ことを特徴とする請求項１に記載の充電対象機器。
【請求項７】
前記降圧回路はＢｕｃｋ回路である、
ことを特徴とする請求項１に記載の充電対象機器。
【請求項８】
前記制御回路は、前記検出回路によって検出された前記電圧及び／又は前記電流に基づいて、前記無線充電装置に調整情報を送信し、
前記調整情報は、前記無線充電装置が前記電磁信号の送信電力を調整することを指示するものである、
ことを特徴とする請求項１に記載の充電対象機器。
【請求項９】
前記充電対象機器は、
前記バッテリと前記無線受信回路との間に接続され、前記無線受信回路の出力電圧と出力電流とを受信し、前記無線受信回路の出力電圧及び／又は出力電流を定電圧制御及び／又は定電流制御するための変換回路をさらに含み、
前記制御回路は、さらに、前記降圧回路と前記変換回路との間の切り替えを制御する、
ことを特徴とする請求項１に記載の充電対象機器。
【請求項１０】
充電対象機器に適用される無線充電方法であって、
前記方法は、
無線充電装置によって送信された電磁信号を受信し、前記電磁信号を第１電圧と第１電流とに変換するステップと、
前記第１電圧を降圧処理して、前記充電対象機器のバッテリを充電するための電圧及び／又は電流を取得するステップと、
降圧回路から前記バッテリに流入される電圧及び／又は電流を検出するステップと、
前記無線充電装置が前記電磁信号の送信電力を調整するように、検出された電圧及び／又は電流に基づいて、前記無線充電装置と通信するステップと、を含み、
降圧処理する前に、前記第１電圧を定電圧制御及び／又は定電流制御するステップをさらに含み、
前記降圧回路の降圧変換効率は前記充電対象機器の定電圧定電流回路の降圧変換効率より高く、前記降圧回路の降圧の電圧差は前記定電圧定電流回路の降圧の電圧差より大きい、
ことを特徴とする無線充電方法。
【請求項１１】
充電対象機器に適用される無線充電方法であって、
前記方法は、
無線充電装置によって送信された電磁信号を受信し、前記電磁信号を第１電圧と第１電流とに変換するステップと、
前記第１電圧を降圧処理して、前記充電対象機器のバッテリを充電するための電圧及び／又は電流を取得するステップと、
降圧回路から前記バッテリに流入される電圧及び／又は電流を検出するステップと、
前記無線充電装置が前記電磁信号の送信電力を調整するように、検出された電圧及び／又は電流に基づいて、前記無線充電装置と通信するステップと、
前記バッテリを充電する電圧及び／又は電流を、定電圧制御及び／又は定電流制御するステップと、を含み、
前記降圧回路の降圧変換効率は前記充電対象機器の定電圧定電流回路の降圧変換効率より高く、前記降圧回路の降圧の電圧差は前記定電圧定電流回路の降圧の電圧差より大きい、
ことを特徴とする無線充電方法。
【請求項１２】
前記バッテリに流入される電圧と第１電圧との比率は、１／２、１／３、２／３、１／４のうちのいずれかである、
ことを特徴とする請求項１０又は１１に記載の無線充電方法。
【請求項１３】
無線充電システムであって、
前記無線充電システムは、無線充電装置と充電対象機器とを含み、
前記充電対象機器は、
バッテリと、
前記無線充電装置によって送信された電磁信号を受信する無線受信回路であって、前記電磁信号を前記無線受信回路の出力電圧と出力電流とに変換するための無線受信回路と、
前記バッテリと前記無線受信回路との間に接続され、前記無線受信回路の出力電圧を受信し、前記無線受信回路の出力電圧を降圧処理して、前記バッテリを充電するための降圧回路と、
降圧回路により出力された電圧及び／又は電流を検出するための検出回路と、
前記検出回路によって検出された前記電圧及び／又は前記電流に基づいて、前記無線充電装置と通信するための第２の制御回路と、を含み、
前記無線充電装置は、
入力電圧を受信し、前記入力電圧を変換して、電圧変換回路の出力電圧と出力電流とを取得するための電圧変換回路と、
前記電圧変換回路の出力電圧と出力電流とに基づいて電磁信号を送信して、前記充電対象機器を無線充電するための無線送信回路と、
前記無線充電中に、前記充電対象機器と無線通信して、前記充電対象機器によってフィードバックされた前記降圧回路により出力された電圧及び／又は電流を取得し、また前記降圧回路により出力された電圧及び／又は電流に基づいて、前記電圧変換回路の出力電圧及び／又は出力電流を調整して、前記電磁信号の送信電力を調整するための第１の制御回路と、
定電圧定電流回路と、を含み、
前記定電圧定電流回路は、前記無線受信回路と前記降圧回路との間に接続され、前記無線受信回路の出力を定電圧制御及び／又は定電流制御し、又は
前記定電圧定電流回路は、前記降圧回路と前記バッテリとの間に接続され、前記降圧回路の出力を定電圧制御及び／又は定電流制御し、
前記降圧回路の降圧変換効率は前記定電圧定電流回路の降圧変換効率より高く、前記降圧回路の降圧の電圧差は前記定電圧定電流回路の降圧の電圧差より大きい、
ことを特徴とする無線充電システム。
【請求項１４】
前記降圧回路はチャージポンプであり、前記チャージポンプの出力電圧と入力電圧との比率は、１／２、１／３、２／３、１／４のうちのいずれかである、
ことを特徴とする請求項１３に記載の無線充電システム。
【発明の詳細な説明】
【技術分野】
【０００１】
本開示は、充電技術の分野に関し、具体的には、充電対象機器、無線充電方法及びシステムに関する。
【背景技術】
【０００２】
無線充電の普及に伴い、ますます多くの電子機器は、すべて無線充電の機能をサポートする。無線充電技術の無線電気エネルギー伝送方式は、電磁誘導式と、電磁共鳴式と、電磁放射式とを含む。電磁誘導式無線充電技術を例として、電磁誘導式の無線電気エネルギー伝送原理は、コイル結合によってエネルギーを伝送し、送信端と受信端に一つのコイルをそれぞれ設ける。送信端は、高周波交流信号に接続されて電磁信号を生成し、受信端は、コイルを介して受信された電磁信号を電流に変換し、電流は、整流、電圧安定化などの回路処理を経て機器に電気エネルギーを提供する。
【０００３】
無線充電技術を採用して、充電対象機器に設定された充電ケーブルに接続するためのインタフェースを除去することができる。充電時にケーブルに接続する必要がないため、充電がより便利になる。
【０００４】
しかしながら、関連技術の無線充電技術は、少なくとも無線充電する場合、充電効率が低いという欠点がある。
【発明の概要】
【発明が解決しようとする課題】
【０００５】
本開示の目的は、関連技術内の欠点を解決するための充電対象機器、無線充電方法及びシステムを提供する。
【課題を解決するための手段】
【０００６】
本開示の第１の態様では、充電対象機器を提供し、
バッテリと、
無線充電装置によって送信された電磁信号を受信し、前記電磁信号を前記無線受信回路の出力電圧と出力電流とに変換するための無線受信回路と、
前記無線受信回路の出力電圧を受信し、前記無線受信回路の出力電圧を降圧処理して、前記バッテリを充電するための降圧回路と、
前記バッテリに流入される電圧及び／又は電流を検出するための検出回路と、
前記無線充電装置が前記電磁信号の送信電力を調整するように、前記検出回路によって検出された電圧及び／又は電流に基づいて、前記無線充電装置と通信するための制御回路と、を含む。
【０００７】
第２の態様では、充電対象機器に適用されている無線充電方法を提供し、前記方法は、
無線受信回路を使用して無線充電装置によって送信された電磁信号を受信し、前記電磁信号を第１電圧と第１電流とに変換するステップと、
前記第１電圧を降圧処理して、充電対象機器のバッテリを充電するための電圧及び／又は電流を取得するステップと、
前記バッテリに流入される前記電圧及び／又は前記電流を検出するステップと、
前記無線充電装置が前記電磁信号の送信電力を調整するように、検出された電圧及び／又は電流に基づいて、前記無線充電装置と通信するステップと、を含む。
【０００８】
第３の態様では、無線充電装置と充電対象機器とを含む無線充電システムを提供し、
前記充電対象機器は、
バッテリと、
前記無線充電装置によって送信された電磁信号を受信し、前記電磁信号を前記無線受信回路の出力電圧と出力電流とに変換するための無線受信回路と、
前記無線受信回路の出力電圧を受信し、前記無線受信回路の出力電圧を降圧処理して、前記バッテリを充電するための降圧回路と、
降圧回路により出力された前記バッテリを充電する電圧及び／又は電流を検出するための検出回路と、
前記検出回路によって検出された前記電圧及び／又は電流に基づいて、前記無線充電装置と通信するための第２の制御回路と、を含み、
前記無線充電装置は、
入力電圧を受信し、前記入力電圧を変換して、前記電圧変換回路の出力電圧と出力電流とを取得するための電圧変換回路と、
前記電圧変換回路の出力電圧と出力電流とに基づいて電磁信号を送信して、前記充電対象機器を無線充電するための無線送信回路と、
前記無線充電中に、前記充電対象機器と無線通信して、前記充電対象機器によってフィードバックされた降圧回路により出力された電圧及び／又は電流を取得し、また降圧回路により出力された電圧及び／又は電流に基づいて前記電圧変換回路の出力電圧及び／又は出力電流を調整して、前記電磁信号の送信電力を調整するための第１の制御回路と、を含む。
【発明の効果】
【０００９】
上記の技術案によって、充電対象機器は、降圧回路の出力電圧及び／又は出力電流を検出して、無線充電装置にフィードバックし、無線充電装置によって送信電力を調整することによって、充電効率を向上させる。
本開示の他の特徴及び利点は、その後の具体的な実施形態の部分で詳細に説明される。
【図面の簡単な説明】
【００１０】
図面は、本開示の更なる理解を提供するためのものであり、明細書の一部を構成し、以下の具体的な実施形態とともに本開示を説明するためのものであるが、本開示の制限を構成するものではない。
【図１】本開示の一実施例の無線充電システムの概略図である。
【図２】本開示の一実施例の無線充電装置の構造ブロック図である。
【図３】本開示の一実施例の充電対象機器の構造ブロック図である。
【図４】本開示の別の実施例の充電対象機器の構造ブロック図である。
【図５】本開示の一実施例における無線充電装置と充電対象機器との通信フローの概略図である。
【図６】本開示の一実施例の無線充電の概略フローチャートである。
【図７】本開示の一実施例の無線充電方法の概略フローチャートである。
【図８】本開示の別の実施例の無線充電方法の概略フローチャートである。
【発明を実施するための形態】
【００１１】
以下、図面を組み合わせて本開示の具体的な実施形態を詳細に説明する。本明細書で説明される具体的な実施形態は、本開示を説明するためにのみ使用され、本開示を限定するためには使用されないことを理解されたい。
【００１２】
本開示で使用される、用語「回路」は、以下のすべての内容を指し、（ａ）ハードウェアのみの回路実施形態（例えば、アナログ及び／又はデジタル回路のみでの実施形態）、及び（ｂ）回路とソフトウェアと（及び／又はファームウェア）の組み合わせ、例えば、（適用可能な）（ｉ）（複数の）プロセッサの組み合わせ、又は（ｉｉ）（複数の）プロセッサ／ソフトウェア（（複数の）デジタル信号プロセッサを含む）、ソフトウェアと（複数の）メモリの一部、一緒に作動して、例えば、携帯電話又はサーバの装置によって様々の機能が実行される）及び（ｃ）例えば、（複数の）マイクロプロセッサ又は（複数の）マイクロプロセッサの一部の回路、当該ソフトウェア又はファームウェアが物理的に存在しなくても、当該回路は、操作するためのソフトウェア又はファームウェアを要求する。「回路」の定義は、本開示内のこの用語のすべての使用に適用され、任意の請求項に含まれる。
【００１３】
本開示の実施例で使用される充電対象機器は端末を指してもよく、当該「端末」は、有線回路を介して(例えば、公衆交換電話網(ｐｕｂｌｉｃ ｓｗｉｔｃｈｅｄ ｔｅｌｅｐｈｏｎｅ ｎｅｔｗｏｒｋ、 ＰＳＴＮ)、デジタル加入者線(ｄｉｇｉｔａｌｓｕｂｓｃｒｉｂｅｒ ｌｉｎｅ、 ＤＳＬ)、デジタルケーブル、直接ケーブル接続、および／または別のデータ接続／ネットワークを介し)接続するか、および／または(例えば、セルラーネットワーク、無線ローカルエリアネットワーク(ｗｉｒｅｌｅｓｓ ｌｏｃａｌ ａｒｅａ ｎｅｔｗｏｒｋ、 ＷＬＡＮ)、ハンドヘルドデジタルビデオ放送(ｄｉｇｉｔａｌ ｖｉｄｅｏ ｂｒｏａｄｃａｓｔｉｎｇ ｈａｎｄｈｅｌｄ、ＤＶＢ−Ｈ) ネットワークのデジタルＴＶネットワーク、衛星ネットワーク、振幅変調−周波数変調（ａｍｐｌｉｔｕｄｅ  ｍｏｄｕｌａｔｉｏｎ−ｆｒｅｑｕｅｎｃｙ  ｍｏｄｕｌａｔｉｏｎ、ＡＭ−ＦＭ）ブロードキャストトランスミッタ、および／または別の通信端末の)無線インターフェイスを介して通信信号を受信／送信するように構成される装置を含むが、これらに限定されない。無線インターフェイスを介して通信するように構成される通信端末は、「無線通信端末」、「無線端末」および／または「モバイル端末」と呼ばれてもよい。例として、モバイル端末は、衛星またはセルラー電話と、セルラー無線電話およびデータ処理、ファックスおよびデータ通信能力を組み合わせ得るパーソナルコミュニケーションシステム(ｐｅｒｓｏｎａｌ ｃｏｍｍｕｎｉｃａｔｉｏｎ ｓｙｓｔｅｍ、ＰＣＳ)端末と、無線電話、ポケットベル、インターネット／イントラネットアクセス、Ｗｅｂブラウザ、メモ、カレンダーおよび／または全地球測位システム(ｇｌｏｂａl ｐｏｓｉｔｉｏｎｉｎｇ ｓｙｓｔｅｍ、ＧＰＳ) レシーバーを含むパーソナルデジタルアシスタント (Ｐｅｒｓｏｎａｌ Ｄｉｇｉｔａｌ Ａｓｓｉｓｔａｎｔ、ＰＤＡ)と、通常のラップトップレシーバーおよび／またはハンドヘルドレシーバまたは無線電話レシーバを含む他の電子装置を含むが、これらに限定されない。また、本開示の実施例で使用される充電対象の装置または端末は、パワーバンク（ｐｏｗｅｒ ｂａｎｋ）をさらに含むことができ、当該パワーバンクは、無線充電装置の充電を受けてエネルギを蓄積して他の電子装置にエネルギを供給することができる。
【００１４】
図１は、本開示の一実施例の無線充電システムの概略図である。
【００１５】
無線充電システム１０は、電源提供機器１００と、無線充電装置２００と、充電対象機器３００とを含む。
【００１６】
一実施例において、電源提供機器１００は、無線充電装置２００に直流を提供するために用いられる。当該電源提供機器１００は、整流回路と、変圧回路と、制御回路と、充電インタフェースなどを含むことができ、交流の入力を直流の出力に変換して、無線充電装置２００に提供することを実現することができる。例えば、電源提供機器は、アダプタ、モバイルバッテリ、又は車載電源などであってもよい。
【００１７】
一実施例において、電源提供機器１００は、交流を無線充電装置２００に直接に提供することもできる。例えば、電源提供機器１００は、交流電源であってもよい。電源提供機器１００が交流電源である場合、無線充電装置２００は、交流を直流に変換するための回路又はモジュール、例えば、整流フィルタ回路とＤＣ／ＤＣ変換回路３０７などをさらに含む。
【００１８】
無線充電装置２００は、電源提供機器１００によって提供される直流又は交流を、電磁信号に変換して、無線の方式によって電力伝送を行うために用いられる。
【００１９】
図２を参照すると、一実施例において、無線充電装置２００は、整流フィルタ回路（図示せず）と、ＤＣ／ＤＣ変換回路３０７（図示せず）と、無線送信回路２０１と、第１の制御回路２０２とを含む。
【００２０】
２２０Ｖの交流は、整流フィルタ回路を通過して安定した直流に変換し、その後、ＤＣ／ＤＣ変換回路３０７の変換して、電圧を一つの固定値に調整して無線送信回路２０１に供給する。
【００２１】
整流フィルタ回路及びＤＣ／ＤＣ変換回路３０７はオプションであることを理解されたい。上記のように、電源提供機器１００が交流電源である場合、無線充電装置２００は、整流フィルタ回路と電圧変換回路２０３を設定することができる。電源提供機器１００が安定した直流を提供できる場合、整流フィルタ回路及び／又は電圧変換回路２０３を除去することができる。
【００２２】
無線送信回路２０１は、電圧変換回路２０３によって提供される直流又は電源提供機器などによって提供される直流を、結合可能な送信コイルの交流に変換し、送信コイルを介して当該交流を電磁信号に変換して送信するために用いられる。
【００２３】
一実施例において、無線送信回路２０１は、インバータ回路と共振回路と含むことができる。インバータ回路は、複数のスイッチングトランジスタを含むことができ、スイッチングトランジスタのオン時間（デューティ比）を制御することによって出力電力の大きさを調整することができる。共振回路は、電気エネルギーを伝送するために用いられる。例えば、共振回路は、コンデンサと送信コイルと含むことができる。共振回路の共振周波数を調整することによって、無線送信回路２０１の出力電力の大きさを調整することができる。
【００２４】
一実施例において、無線充電装置２００は、無線充電ベース又はエネルギー貯蔵機能を有する機器などであってもよい。無線充電装置２００がエネルギー貯蔵機能を有する機器である場合、エネルギー貯蔵モジュール（例えば、リチウムバッテリ３０５）をさらに含み、外部電源提供機器から電気エネルギーを取得して記憶することができる。これにより、エネルギー貯蔵モジュールは、電気エネルギーを無線送信回路２０１に提供することができる。無線充電装置２００は、有線又は無線の方式によって外部電源提供機器から電気エネルギーを取得することができることを理解されたい。有線の方式は、例えば、充電インタフェース（例えば、Ｔｙｐｅ−Ｃインタフェース）を介して外部電源提供機器に接続されて、電気エネルギーを取得する。無線の方式は、例えば、無線充電装置２００を無線受信回路３０１を含み、無線の方式によって無線充電機能を有する機器から電気エネルギーを取得することができる。
【００２５】
第１の制御回路２０２は、無線充電プロセスを制御するために用いられる。例えば、第１の制御回路２０２は、電源提供機器と通信して、電源提供機器の出力電圧及び／又は出力電流を決定することができる。又は、第１の制御回路２０２は、充電対象機器と通信して、充電情報（例えば、充電対象機器のバッテリ３０５の電圧情報、バッテリ３０５の温度情報、充電モード情報など）のインタラクション、無線充電を行う充電パラメータ（例えば、充電電圧及び／又は充電電流）の決定などを実現することもできる。
【００２６】
無線充電装置２００は、対応する機能を実現するために、他の関連ハードウェア、論理装置、回路及び／又はエンコーディングをさらに含むことができることを、理解してほしい。例えば、無線充電装置２００は、表示モジュール（例えば、発光ダイオード又はＬＥＤディスプレイスクリーンであってもよい）をさらに含むことができ、無線充電中に、充電状態（例えば、充電中又は終了など）をリアルタイムに表示するために用いられる。
【００２７】
図２を参照すると、本開示の一実施例において、無線充電装置２００は、電圧変換回路２０３をさらに含む。当該電圧変換回路２０３は、無線送信回路２０１に提供される電流の電圧が予め設定された条件を満たしていない場合、無線送信回路２０１に提供される電流を電圧変換するために用いられる。上記のように、一実施例において、無線送信回路２０１に提供される電流は、電圧変換回路２０３によって提供されてもよく、電源提供機器によって提供されてもよく、又は上記のエネルギー貯蔵モジュールなどによって提供されてもよい。
【００２８】
もちろん、代替可能に、無線送信回路２０１に提供される電圧が無線送信回路２０１が入力電圧に対する電圧ニーズに達した場合、電圧変換回路２０３を省略して、無線充電装置の実現を簡略化することができる。無線送信回路２０１が入力電圧に対する電圧ニーズは、実際の要求に応じて設定することができ、例えば、１０Ｖに設定することができる。
【００２９】
本開示の一実施例において、無線送信回路２０１に提供される電流の電圧が予め設定された条件を満たしていないとは、当該電圧が無線送信回路２０１のニーズ電圧より低いか、又は当該電圧が無線送信回路２０１のニーズ電圧がより高いことを指す。例えば、高電圧低電流（例えば、２０Ｖ／１Ａ）の充電モードで無線充電する場合、この充電モードは、無線送信回路２０１の入力電圧に対する要求が高い（電圧ニーズが１０Ｖ又は２０Ｖなど）。無線送信回路２０１に提供される電圧が無線送信回路２０１の電圧ニーズに達しない場合、電圧変換回路２０３は、入力電圧を昇圧して、無線送信回路２０１の電圧ニーズに達するようにすることができる。電源提供機器の出力電圧が無線送信回路２０１の電圧ニーズを超えた場合、電圧変換回路２０３は、入力電圧を降圧して、無線送信回路２０１の電圧ニーズに達するようにすることができる。
【００３０】
図３を参照すると、本開示の一実施例において、充電対象機器３００は、無線受信回路３０１と、第２の制御回路３０２と、降圧回路３０３と、検出回路３０４と、バッテリ３０５と、第１の充電チャネル３０６とを含む。
【００３１】
一実施例において、無線受信回路３０１は、受信コイルを介して無線充電装置２００の無線送信回路２０１によって送信された電磁信号を交流に変換し、当該交流に対して整流及び／又はフィルタなどの操作を行って、当該交流を安定した直流に変換して、バッテリ３０５を充電する。
【００３２】
一実施例において、無線受信回路３０１は、受信コイルと、ＡＣ／ＤＣ変換回路３０７とを含む。ＡＣ／ＤＣ変換回路３０７は、受信コイルによって受信された交流を直流に変換するために用いられる。
【００３３】
本開示の一実施例において、バッテリ３０５は、単セル又は多セルを含むことができる。バッテリ３０５が多セルを含む場合、当該多セル間は直列接続関係となる。これにより、バッテリ３０５が耐えることができる充電電圧は、多セルが耐えることができる充電電圧の和となり、充電速度を向上させ、充電発熱を低減することができる。
【００３４】
充電対象機器が携帯電話であることを例とすると、充電対象機器のバッテリ３０５が単セルである場合、内部の単一セルの電圧は、一般に３.０Ｖ〜４.３５Ｖの間である。充電対象機器のバッテリ３０５が二つの直列接続されたセルである場合、直列接続された二つのセルの合計電圧は６.０Ｖ−８.７Ｖである。これにより、単セルと比較して、複数のセルの直列接続を採用した場合、無線受信回路３０１の出力電圧を上げることができる。単一セルと比較して、同じ充電速度に達するのに、複数のセルに必要な充電電流は、単一セルに必要な充電電流の約１／Ｎ（Ｎは、充電対象機器内の互いに直列接続されたセルの数である）である。言い換えれば、同じ充電速度（充電電力が同じである）を確保する前提に、複数のセルの技術案を採用して、充電電流の大きさを低減することができることによって、充電対象機器の充電プロセスでの発熱量を低減することができる。一方、単セルの技術案と比較して、充電電流が同じままである場合には、多セル直列接続の技術案を採用すると、充電電圧を上げることによって、充電速度を向上させることができる。
【００３５】
本開示の一実施例において、第１の充電チャネル３０６は電線であってもよい。第１の充電チャネル３０６に降圧回路３０３を設定することができる。
【００３６】
降圧回路３０３は、無線受信回路３０１によって出力された直流を降圧し、第１の充電チャネル３０６の出力電圧と出力電流とを取得するために用いられる。一実施例において、当該第１の充電チャネル３０６によって出力された直流の電圧値と電流値とは、バッテリ３０５の充電要求を満たし、バッテリ３０５に直接印加することができる。
【００３７】
検出回路３０４は、第１の充電チャネル３０６の電圧及び／又は電流を検出するために用いられる。第１の充電チャネル３０６の電圧及び／又は電流は、無線受信回路３０１と降圧回路３０３との間の電圧及び／又は電流、すなわち無線受信回路３０１の出力電圧及び／又は電流を指すことができる。又は、第１の充電チャネル３０６上の電圧及び／又は電流は、降圧回路３０３とバッテリ３０５との間の電圧及び／又は電流、すなわち降圧回路３０３の出力電圧及び／又は出力電流を指すこともできる。又は、第１の充電チャネル３０６上の電圧及び／又は電流は、バッテリ３０５に流入される電圧及び／又は電流を指すこともできる。
【００３８】
一実施例において、検出回路３０４は、電圧検出回路３０４と電流検出回路３０４とを含むことができる。電圧検出回路３０４は、第１の充電チャネル３０６上の電圧をサンプリングし、サンプリングした後の電圧値を第２の制御回路３０２に送信するために用いられることができる。いくつかの実施例において、電圧検出回路３０４は、直列電圧分割の方式で第１の充電チャネル３０６上の電圧をサンプリングすることができる。電流検出回路３０４は、第１の充電チャネル３０６の電流をサンプリングし、サンプリングした後の電流値を第２の制御回路３０２に送信するために用いられることができる。いくつかの実施例において、電流検出回路３０４は、電流検出抵抗器及び検流計によって第１の充電チャネル３０６の電流をサンプリングして検出することができる。
【００３９】
一実施例において、第２の制御回路３０２は、無線充電装置の第１の制御回路２０２と通信し、検出回路３０４によって検出された電圧及び／又は電流を第１の制御回路２０２にフィードバックするために用いられる。これにより、第１の制御回路２０２は、当該フィードバックされた電圧及び／又は電流に基づいて、無線送信回路２０１の送信電力を調整して、第１の充電チャネル３０６によって出力された直流の電圧及び／又は電流がバッテリ３０５に必要な充電電圧値及び／又は電流値にマッチングするようにすることができる。
【００４０】
なお、本開示の一実施例において、「バッテリ３０５に必要な充電電圧値及び／又は電流値にマッチングする」ことは、第１の充電チャネル３０６によって出力された直流の電圧値及び／又は電流値が、バッテリ３０５に必要な充電電圧値及び／又は電流値と等しいか、又は予め設定された範囲（例えば、電圧値が１００ミリボルトから２００ミリボルトまで上下変動する）を変動することを含む。
【００４１】
本開示の実施例において、降圧回路３０３の実現形態は様々であり得る。一例として、降圧回路３０３は、Ｂｕｃｋ回路であってもよい。別の例として、降圧回路３０３は、チャージポンプ（ｃｈａｒｇｅ  ｐｕｍｐ）であってもよい。チャージポンプは、複数のスイッチング素子から構成されており、スイッチング素子に流れる電流による発熱は非常に小さく、配線に直接流れる電流による発熱とほぼ同等であるため、降圧回路３０３としてチャージポンプ使用することで電圧を下げることができるだけでなく、発熱も少ない
【００４２】
本開示の一実施例において、チャージポンプの出力電圧と入力電圧との比率は、１／２、１／３、２／３、又は１／４などの作動モードであってもよく、具体的な比率は、回路の実際の作動パラメータに関連する。
【００４３】
一実施例において、無線充電装置２００の電圧変換回路２０３の昇圧倍数と充電対象機器３００の降圧回路３０３の降圧倍数の設定は、電源提供機器が提供可能な出力電圧、バッテリ３０５に必要な充電電圧などのパラメータに関連しており、両者は、等しくても等しくなくてもよいが、本開示の実施例では具体的に限定しない。
【００４４】
一例として、電圧変換回路２０３の昇圧倍数と降圧回路３０３の降圧倍数を等しく設定することができる。例えば、電圧変換回路２０３は、電源提供機器の出力電圧を２倍にするための倍圧回路であってもよく、降圧回路３０３は、無線受信回路３０１の出力電圧を半分に低下するための半電圧回路であってもよい。
【００４５】
一実施例において、電圧変換回路２０３の昇圧倍数と降圧回路３０３の降圧倍数を１：１に設定すると、このような設定方式は、降圧回路３０３の出力電圧と出力電流とを電源提供機器の出力電圧及び出力電流とそれぞれ一致させることができ、制御回路の実現を簡略化することが有利となる。充電電流に対するバッテリ３０５のニーズが５Ａであることを例とすると、第２の制御回路３０２が検出回路３０４によって降圧回路３０３の出力電流が４.５Ａであることを知った場合、電源提供機器の出力電力を調整して、降圧回路３０３の出力電流が５Ａに達するようにする必要がある。電圧変換回路２０３の昇圧倍数と降圧回路３０３の降圧倍数との比率が１：１に等しくない場合、電源提供機器の出力電力を調整する時に、第１の制御回路２０２又は第２の制御回路３０２は、降圧回路３０３の現在の出力電流と期待値との間の差に基づいて、電源提供機器の出力電力の調整値を再計算する必要がある。本開示の一実施例は、電圧変換回路２０３の昇圧倍数と降圧回路３０３の降圧倍数との比率を１：１に設定した場合、第２の制御回路３０２は、出力電流を５Ａまで上げるように第１の制御回路２０２に通知すればよい、これによって、無線充電通路のフィードバック調整方式を簡略化する。
【００４６】
本開示の一実施例において、充電対象機器は、無線受信回路の出力を定電圧制御及び／又は定電流制御した後に、降圧回路３０３に出力するために、無線受信回路と降圧回路３０３との間に接続された定電圧定電流回路をさらに含む。降圧回路３０３は、定電圧定電流回路の出力電圧を受信し、当該出力電圧を降圧処理した後、バッテリを充電する。
【００４７】
いくつかの実施例において、充電対象機器は、検出回路によって検出された電圧及び／又は電流に基づいて、定電圧定電流回路の定電圧プロセス及び／又は定電流プロセスを制御するために、定電圧定電流制御回路をさらに含む。選択可能に、当該定電圧定電流制御回路は、第２の制御回路３０２と集積されてもよく、すなわち第２の制御回路３０２は、定電圧定電流制御回路の機能を有してもよい。定電圧定電流制御回路は、単独の制御チップによって実現可能であることを理解されたい。
【００４８】
いくつかの実施例において、定電圧定電流回路は、降圧回路３０３とバッテリとの間に接続され、降圧回路３０３の出力を定電圧制御及び／又は定電流制御した後、バッテリを充電するために用いられる。これにより、この場合、定電圧定電流回路の出力は、バッテリに直接に印加し、バッテリに必要な充電電圧及び充電電流を満たすことができる。
【００４９】
いくつかの実施例において、定電圧定電流回路は、Ｂｕｃｋ回路及び／又は低ドロップアウトリニアレギュレータ（ｌｏｗ  ｄｒｏｐｏｕｔ  ｒｅｇｕｌａｔｏｒ）を含む。
【００５０】
本開示の実施例において、降圧回路３０３の降圧機能は、定電圧定電流回路の定電圧及び／又は定電流制御機能とある程度分離されて、回路の構成をより柔軟にし、定電圧定電流回路の発熱量を低減させる。一方、降圧回路３０３は、定電圧定電流回路と結合しているため、チャージポンプを降圧回路３０３として選択することができ、チャージポンプの発熱が低いため、充電対象機器の無線充電中の発熱を低減することができる。
【００５１】
選択可能に、降圧回路３０３の降圧変換効率は、定電圧定電流回路の降圧変換効率より高くてもよい。降圧変換効率は、降圧中のエネルギー損失を指示するために使用することができる。降圧回路３０３の降圧変換効率が定電圧定電流回路の降圧変換効率より高いことは、同じ降圧の場合に、降圧回路３０３のエネルギー損失（又は電力損失）が、定電圧定電流回路のエネルギー損失（又は電力損失）より小さいことを指すことができる。定電圧定電流回路がＢＵＣＫ回路を採用して降圧すると仮定すると、降圧回路３０３の降圧変換効率が定電圧定電流回路の降圧変換効率より高いことは、降圧回路３０３の降圧変換効率が、定電圧定電流回路におけるＢＵＣＫ回路の降圧変換効率より高いことを指すことができる。
【００５２】
以上のように、高電圧に基づく無線充電信号伝送方式では、無線受信回路の出力電圧を広い範囲で降圧する必要があり、充電管理回路を直接に採用して無線受信回路の出力電圧を降圧する場合、定電圧定電流回路の降圧変換効率が比較的に低い原因に制限され、降圧プロセスに大きなエネルギー損失が発生し、定電圧定電流回路の発熱がより深刻になる。本開示の実施例は、定電圧定電流回路のみに基づいて無線受信回路の出力電圧を降圧することではなく、より高い降圧変換効率を有する降圧回路３０３を採用して一部又は全部の降圧機能を分担して、定電圧定電流回路が比較的小さい電圧範囲内で定電圧／定電流制御を実行するため、充電対象機器の発熱量を低減させる。
【００５３】
本開示の実施例は、降圧回路３０３の形式に対して具体的に限定されなく、降圧変換効率が定電圧定電流回路の降圧変換効率より大きければよい。選択可能に、実現方式として、定電圧定電流回路は、誘導性降圧回路３０３を採用して降圧することができ、降圧回路３０３は、容量式降圧回路３０３（チャージポンプなど）を採用して降圧することができ、又は、降圧回路３０３は、誘導性降圧回路３０３と容量式降圧回路３０３とを組み合わせた降圧回路３０３を採用して降圧することができる。
【００５４】
降圧回路３０３としてチャージポンプを採用することを例にとると、チャージポンプは、主にスイッチング素子で構成されているため、降圧プロセスのエネルギー消費が少なく、降圧変換効率を向上させることができる。本開示の実施例において、チャージポンプの降圧係数（出力電圧と入力電圧との比率）を具体的に限定することなく、実際のニーズに応じて選択することができ、例えば１／２、１／３、２／３、１／４などの降圧係数のうちの一つ又は複数を採用することができる。
【００５５】
選択可能に、いくつかの実施例において、定電圧定電流回路の入力電圧は、定電圧定電流回路の出力電圧より大きいことができる。言い換えれば、無線受信回路３０１の出力電圧をバッテリ３０５の現在必要な充電電圧に降圧するプロセス中に、定電圧定電流回路は、その中の一部の降圧操作を実行することができ、他の一部の降圧操作は、降圧変換効率がより高い降圧回路３０３によって分担されることができる。例えば、定電圧定電流回路は、全部の降圧操作中の一部の降圧操作を実行することができ、降圧回路３０３は、残りの多く部分の降圧操作を実行することができ、すなわち降圧回路３０３の降圧の電圧差は、定電圧定電流回路の降圧の電圧差より大きい。降圧回路３０３の降圧変換効率が相対的に高いため、降圧操作の上記の分配方式は、充電対象機器の発熱をより良く低減することができる。
【００５６】
図４を参照すると、本開示の一実施例において、充電対象機器３００は、第２の充電チャネル３０８をさらに含む。第２の充電チャネル３０８は電線であってもよい。第２の充電チャネル３０８に変換回路３０７を設定することができ、変換回路３０７は、無線受信回路３０１によって出力された直流を電圧制御し、第２の充電チャネル３０８の出力電圧と出力電流とを取得して、バッテリ３０５を充電するのに用いられる。
【００５７】
一実施例において、変換回路３０７は、電圧安定化のための回路と、定電流及び定電圧を実現するための回路と、を含む。その中、電圧安定化のための回路は、無線受信回路３０１に接続され、定電流及び定電圧を実現するための回路は、バッテリ３０５に接続される。第２の充電チャネル３０８を採用してバッテリ３０５を充電する場合、無線送信回路２０１は、一定の送信電力を使用し、無線受信回路３０１が電磁信号を受信した後、変換回路３０７によってバッテリ３０５の充電要求を満たす電圧及び電流に処理された後、バッテリ３０５に入力してバッテリ３０５の充電を実現する。いくつかの実施例において、一定の送信電力は、送信電力が完全に一定のままであるとは限らず、送信電力が７.５Ｗで上下に０.５Ｗ変動するように、一定の範囲内に変化することができることを理解されたい。
【００５８】
いくつかの実施例において、変換回路３０７は、上記の定電流定電圧回路であってもよく、すなわち上記の定電流定電圧回路で変換回路３０７の機能を実現することができることを理解されたい。第２の充電チャネルを使用する場合、無線送信回路２０１の送信電力は、上記の第１の充電チャネルを使用する送信電力より小さい。例えば、第１の充電チャネルを使用する場合、無線送信回路２０１は、１５Ｖ／１Ａの送信電力を使用し、第２の充電チャネルを使用する場合、無線送信回路２０１は、７.５Ｗ／１Ａの送信電力を使用する。これにより、第２の充電チャネルを使用する場合、無線受信回路３０１によって受信された電圧は、第１の充電チャネルを使用する時の電圧よりもはるかに小さいため、定電流定電圧回路の定電流及び定電圧のみによって、バッテリのニーズ電流及び電圧を満たすことができる。
【００５９】
当該実施例において、第２の制御回路３０２は、さらに、検出された第２の充電チャネル３０８の出力電圧値と設定された目標値（例えば、バッテリ３０５の実際のニーズ電圧値であってもよい）を比較することによって、エラー値を決定し、その後に、エラー値をデータパケットの形式で第１のコントローラに送信するために用いられる。第２の充電チャネル３０８の出力電圧値は、変換回路３０７とバッテリ３０５との間の電圧値及び／又は電流値であってもよい。
【００６０】
一実施例において、第２の充電チャネル３０８を介してバッテリ３０５を充電する場合、無線充電装置及び充電対象機器は、Ｑｉ規格に従って無線充電することができる。これにより、信号変調の方式によって、上記のエラー値を含むデータ信号を無線受信回路３０１のコイルに結合されて無線送信回路２０１のコイルに送信され、その後に、第１のコントローラに伝送することができる。
【００６１】
本開示の一実施例において、第２の充電チャネル３０８を介してバッテリ３０５を充電する場合、無線電気エネルギー伝送制御プロセスは、以下のステップを含む。
第２の制御回路３０２は、検出された第２の充電チャネル３０８の出力電圧値と設定された目標値を比較することによって、エラー値を決定し、その後に、エラー値をデータパケットの形式で第１のコントローラに送信し、第１のコントローラは、現在の送信コイルの電流値とエラーデータパケットの情報とに基づいて、差分値を決定し、差分値に基づいて新しい作動周波数を設定して、無線送信回路２０１の送信電力の大きさを調整することを含むことができる。
【００６２】
本開示の実施例において、第１の充電チャネル３０６によってバッテリ３０５を充電することに対応する充電方式を、第１の充電モードと呼び、第２の充電チャネル３０８によってバッテリ３０５を充電することに対応する方式を第２の充電モードと呼ぶ。無線充電装置及び充電対象機器は、通信によって第１の充電モードを採用するか、第２の充電モードを採用するかを決定して、バッテリ３０５を充電することができる。
【００６３】
本開示の実施例において、無線充電装置側において、第１の充電モードで充電対象機器を充電する場合、無線送信回路２０１の最大送信電力は、第１の送信電力値とすることができる。第２の充電モードで充電対象機器を充電する場合、無線送信回路２０１の最大送信電力は、第２の送信電力値とすることができる。その中、第１の送信電力値は、第２の送信電力値より大きいため、第１の充電モードを採用する充電対象機器の充電速度は、第２の充電モードより大きい。
【００６４】
上記のように、一実施例において、無線充電中のコイル発熱の問題を低減するために、第１の充電モードを採用する場合、無線送信回路２０１は、高電圧低電流の方式を採用することができる。すなわち第１の充電モードを採用する時の無線送信回路２０１の出力電圧は、第２の充電モードを採用する時の無線送信回路２０１の出力電圧より大きいため、第１の送信電力値は、第２の送信電力値より大きくなる。
【００６５】
充電対象機器側において、第２の制御回路３０２は、充電モードに基づいて、第１の充電チャネル３０６と第２の充電チャネル３０８との間で切り替える。第１の充電モードを採用する場合、第２の制御回路３０２は、第１の充電チャネル３０６上の降圧回路３０３の作動を制御する。第２の充電モードを採用する場合、第２の制御回路３０２は、第２の充電チャネル３０８上の変換回路３０７の作動を制御する。
【００６６】
本開示の実施例において、無線充電装置は、第１の充電モード又は第２の充電モードを盲目的に採用して充電対象機器を充電することではなく、充電対象機器と双方向通信を行い、採用される充電モードをネゴシエーションし、充電プロセスの安全性を向上させる。
【００６７】
図５を参照すると、本開示の一実施例における、無線充電装置と充電対象機器との通信フローの概略図である。
【００６８】
ステップＳ５１において、無線充電装置は、充電対象機器に第１の命令を送信する。
【００６９】
当該第１の命令は、充電対象機器が第１の充電モードをサポートするか否かを問い合わせるために用いられ、又は、当該第１の命令は、充電対象機器のタイプ又はモデル（例えば、充電対象機器が出荷される際に設定されたモデル）、充電対象機器の識別コード（例えば、充電対象機器に予め設定され、充電対象機器が第１の充電モードをサポートするか否かを識別するために使用される文字列）、充電対象機器がサポートする最大充電電圧及び充電対象機器がサポートする最大充電電流などのうちの少なくとも一つを要求するために用いられる。上記のように、充電対象機器がサポートする最大充電電圧及び最大充電電流は、充電対象機器における降圧回路３０３又は変換回路３０７の回路パラメータに関係があり、及び／又は、充電対象機器におけるバッテリ３０５のセル数に関係がある。
【００７０】
ステップＳ５２において、無線充電装置は、充電対象機器によってフィードバックされた返信情報に基づいて、採用される充電モードを決定する。
【００７１】
一実施例において、返信情報が無線充電装置が第１の充電モードをサポートすることを指示する場合、無線充電装置は、採用される充電モードが第１の充電モードであると決定する。逆に、返信情報が無線充電装置により第１の充電モードをサポートしないことを指示する場合、無線充電装置は、採用される充電モードが第２の充電モードであると決定する。
【００７２】
一実施例において、充電対象機器によってフィードバックされた返信情報は、充電対象機器のタイプ又はモデル、充電対象機器の識別コード、充電対象機器がサポートする最大充電電圧及び充電対象機器がサポートする最大充電電流などの少なくとも一つを含むことができる。無線充電装置は、受信された返信情報に基づいて、採用可能な充電モードを決定する。例えば、充電対象機器のタイプ又はモデルが第１の充電モードをサポートするタイプ又はモデルである場合、第１の充電モードを採用して充電対象機器を無線充電すると決定する。
【００７３】
一実施例において、無線充電装置は、決定された充電モードを充電対象機器にフィードバックすることができ、これにより、充電対象機器は、第１の充電チャネル３０６又は第２の充電チャネル３０８をオンに制御することができる。
【００７４】
一実施例において、無線充電装置と充電対象機器との間の通信は、ブルートゥース通信、Ｗｉ−Ｆｉ通信、高キャリア周波数に基づく短距離無線通信、光通信、超音波通信、超広帯域通信、及びモバイル通信などの無線通信方式を採用することができる。
【００７５】
一実施例において、高キャリア周波数に基づく短距離無線通信モジュールは、内部にＥＨＦアンテナを内蔵したＩＣチップを含む。オプションであり、高キャリア周波数は６０ＧＨｚである。
【００７６】
一実施例において、光通信モジュールは、赤外線を利用する情報を伝送することができる赤外線通信モジュールを含む。
【００７７】
一実施例において、モバイル通信モジュールは、５Ｇ通信プロトコル、４Ｇ通信プロトコル、又は３Ｇ通信プロトコルなどのモバイル通信プロトコルを使用して情報伝送を行うことができる。
【００７８】
上記の無線通信方式を採用すると、上記の信号変調の方式によって無線受信回路３０１のコイルに結合されて通信する方式に比較して、通信の信頼性を向上させることができ、且つ信号結合方式を採用する通信による電圧リップルを回避することができ、変換回路３０７又は降圧回路３０３の電圧処理プロセスに影響を与えることができる。
【００７９】
本開示の実施例において、無線充電装置は、充電対象機器と通信して、無線充電装置と充電対象機器との間の充電モードを決定することに加えて、電源提供機器と通信して、電源提供機器と無線充電装置との間の充電モードを決定することができる。
【００８０】
上記のように、無線充電装置と充電対象機器との間に第１の充電モードを採用する場合、無線充電装置によって採用された送信電力は、第２の充電モードを採用する場合に採用された送信電力に比較するとより高く、すなわち第１の充電モードを採用する場合、無線充電装置の無線送信回路２０１のニーズ電圧がより高い。したがって、無線充電装置は、電源提供機器と通信して、電源提供機器が適切な電圧を提供することもできる。
【００８１】
一実施例において、電源提供機器のタイプは、急速充電タイプの電源提供機器と非急速充電タイプの電源提供機器とを含む。急速充電タイプの電源提供機器が提供可能な出力電圧は、非急速充電タイプの電源提供機器が提供可能な出力電圧より大きい。例えば、非急速充電タイプの電源提供機器の出力電圧／出力電流は５Ｖ／２Ａであり、急速充電タイプの電源提供機器の出力電圧／出力電流は１５Ｖ／２Ａである。
【００８２】
電源提供機器のタイプが急速充電タイプである場合、無線充電装置に提供される電圧は、無線充電装置が第１の充電モードを採用することをサポートすることができる。電源提供機器のタイプが非急速充電タイプである場合、無線充電装置に提供される電圧は、無線充電装置が第２の充電モードを採用することをサポートすることができる。
【００８３】
一実施例において、無線充電装置は、電源提供機器と通信して、電源提供機器のタイプを決定し、また上記の方法に従って充電対象機器と通信して、充電対象機器がサポートする充電モードを決定する。その後、無線充電装置は、電源提供機器のタイプ及び／又は充電対象機器がサポートする充電モードに基づいて、採用される充電モードを決定することができる。
【００８４】
いくつかの実施例において、電源提供機器のタイプが非急速充電タイプであり、且つ充電対象機器が第１の充電モードをサポートする場合、無線充電装置は、電圧変換回路２０３を介して、電源提供機器によって提供される電圧を変換して、第１の充電モードを採用することができる。
【００８５】
いくつかの実施例において、電源提供機器のタイプが急速充電タイプであり、充電対象機器が第１の充電モードをサポートするが、電源提供機器によって提供される電圧が無線送信回路２０１のニーズ（すなわち第１の充電モードを採用する場合、無線送信回路２０１の電圧ニーズ）を満たすことができない場合、電圧変換回路２０３を介して、電源提供機器によって提供される電圧を変換して、第１の充電モードを採用することもできる。
【００８６】
いくつかの実施例において、電源提供機器のタイプが急速充電タイプであるが、充電対象機器が第２の充電モード（例えば、充電対象機器は、第２の充電チャネル３０８のみを含む）のみをサポートする場合、電圧変換回路２０３は電源提供機器によって提供される電圧を変換した（例えば、降圧する）後、第２の充電モードを採用することができる。
【００８７】
いくつかの実施例において、電源提供機器のタイプが非急速充電タイプであり、充電対象機器が第２の充電モードをサポートする場合、無線充電装置は、第２の充電モードを採用すると決定する。
【００８８】
無線充電装置が第１の充電モードを採用して充電対象機器のバッテリ３０５を充電する場合、関連技術における低電圧大電流を採用した無線充電方式による発熱の問題及び充電効率が低い問題を解決するために、本開示の実施例は、高電圧低電流の無線充電方式を採用して、発熱を低減し、充電効率を向上させる。
【００８９】
本開示の一実施例において、無線充電装置端に電圧変換回路２０３を設ける。充電対象機器端にバッテリ３０５に接続される第１の充電チャネル３０６（例えば、電線である）を設ける。その中、第１の充電チャネル３０６は、第１の充電チャネル３０６の出力電圧及び出力電流がバッテリ３０５の充電要求を満たすように、降圧回路３０３を設け、無線受信回路３０１の出力電圧を降圧するために用いられる。
【００９０】
一実施例において、無線充電装置２００が２０Ｗの出力電力を使用して充電対象機器における単セルバッテリ３０５を充電し、第２の充電チャネル３０８を使用する当該単セルバッテリ３０５を充電する場合、無線送信回路２０１の入力電圧は５Ｖである必要があり、入力電流は４Ａである必要があり、４Ａの電流を採用することは、必ずコイルが発熱し、充電効率が低下する。
【００９１】
第１の充電チャネル３０６を使用して当該単セルバッテリ３０５を充電する場合、第１の充電チャネル３０６に降圧回路３０３が設けられるため、無線送信回路２０１の送信電力が一定（上記の２０Ｗ）である場合、無線送信回路２０１の入力電圧を上げることができるため、無線送信回路２０１の入力電流を低減することができる。
【００９２】
本開示の一実施例において、降圧回路３０３は、当該降圧回路３０３の入力電圧と出力電圧との比率が固定の２：１である半電圧回路を採用して、降圧回路３０３の発熱をさらに低減する。
【００９３】
降圧回路３０３が半電圧回路を採用する場合、例えば、無線送信回路２０１の入力電圧は１０Ｖであってもよく、入力電流は２Ａであってもよい。これにより、無線受信回路３０１の出力電圧は１０Ｖ（電気エネルギー損失を考慮して、実際の値は１０Ｖに近いことを理解されたい）である。降圧回路３０３の降圧によって、第１の充電チャネル３０６の出力電圧は５Ｖとなり、バッテリ３０５の充電を実現する。当該実施例は、バッテリ３０５のニーズ電圧が５Ｖであることを説明し、実際にバッテリ３０５を充電する場合、第２の制御回路３０２は、検出回路３０４によってリアルタイムに検出された電圧及び／又は電流を第１の制御回路２０２にフィードバックすることを理解されたい。第１の制御回路２０２は、フィードバックされた電圧及び／又は電流に基づいて、無線送信回路２０１の出力電力の調整を実現する。
【００９４】
本開示の実施例において、無線充電装置２００が無線送信回路２０１の出力電力を調整する方式は、様々なものであってもよい。具体的には、調整方式は、以下の三つの方式のいずれか、いくつかの組み合わせを含むことができる。
（１）入力無線送信回路２０１の電圧が固定されている場合、共振回路の同調周波数及び／又はインバータ回路のスイッチングトランジスタのデューティ比などのパラメータを調整することによって、無線送信回路２０１の出力電力の調整を実現する。
【００９５】
（２）電圧変換回路２０３の出力電圧（すなわち無線送信回路２０１に入力された電圧）を調整することによって、無線送信回路２０１の出力電力の調整を実現する。
【００９６】
（３）図１に示す電圧変換回路２０３を取り外した場合には、電源提供機器の出力電圧（すなわち無線充電装置に入力された電圧）を調整することによって、無線送信回路２０１の出力電力の調整を実現する。
【００９７】
本開示の実施例は、第１の制御回路２０２と電源提供機器との間の通信方式を具体的に限定しない。一例として、第１の制御回路２０２は、充電インタフェース以外の他の通信インタフェースを介して電源提供機器に接続され、当該通信インタフェースを介して電源提供機器と通信する。別の例として、第１の制御回路２０２は、無線の方式で電源提供機器と通信することができる。例えば、第１の制御回路２０２は、電源提供機器と近距離通信（ｎｅａｒ  ｆｉｅｌｄ  ｃｏｍｍｕｎｉｃａｔｉｏｎ、ＮＦＣ）を行うことができる。もう一つの例として、第１の制御回路２０２は、追加の通信インタフェース又は他の無線通信モジュールを設定することなく、充電インタフェースを介して電源提供機器と通信することができ、無線充電装置の実現を簡略化することができる。例えば、充電インタフェースはＵＳＢインタフェースであり、第１の制御回路２０２と電源提供機器とは、当該ＵＳＢインタフェース内のデータ線（Ｄ＋及び／又はＤ−線など）に基づいて通信することができる。また、充電インタフェースは、電力伝送（ｐｏｗｅｒ  ｄｅｌｉｖｅｒｙ、ＰＤ）通信プロトコルをサポートするＵＳＢインタフェース（ＵＳＢ ＴＹＰＥ−Ｃインタフェースなど）であってもよく、第１の制御回路２０２と電源提供機器は、ＰＤ通信プロトコルに基づいて通信することができる。
【００９８】
本開示の実施例において、電源提供機器が出力電力を調整する方式を具体的に限定しない。例えば、電源提供機器内部に電圧フィードバックループ及び電流フィードバックループを設定することによって、実際のニーズに応じて出力電圧及び／又は出力電流を調整することができる。
【００９９】
一実施例において、無線充電装置２００は、円形、方形などの様々な形状に設けることができ、充電対象機器が無線充電装置２００の充電表面（送信コイルが設けられている表面）に置かれた場合、無線充電装置２００は、図６に示す無線充電フローに従って無線充電を開始することができる。
【０１００】
図６を参照すると本開示の一実施例の無線充電の概略フローチャートである。
【０１０１】
ステップＳ６１において、無線充電装置は物体の有無を検出する。
【０１０２】
例えば、無線充電装置は、予め設定された時間ごとに一つのエネルギーを送信して、表面に物体が置かれているか否かを検出する。
【０１０３】
ステップＳ６２において、検出された物体が正当な充電対象機器であるか否かを決定する。
【０１０４】
ステップＳ６３において、充電対象機器のアイデンティティ情報と構成情報とを取得する。
【０１０５】
例えば、アイデンティティ情報は、上記の充電対象機器の識別コードであってもよく、構成情報は、上記の充電対象機器のタイプ又はモデルであってもよい。
【０１０６】
ステップＳ６４において、充電対象機器のアイデンティティ情報と構成情報とに基づいて、充電モードを決定する。
【０１０７】
例えば、充電モードの決定は、上記の方式に従って、電源提供機器のタイプ及び／又は充電対象機器がサポートする充電モードに基づいて決定することができる。
【０１０８】
本開示の実施例において、第２の充電モードを採用すると決定する場合、ステップＳ６５−Ｓ６７の無線充電プロセスを実行し、第１の充電モードを採用すると決定する場合、ステップＳ６８−Ｓ６９の無線充電プロセスを実行する。
【０１０９】
ステップＳ６５において、無線充電中に、充電対象機器によってフィードバックされた制御情報を取得する。
一実施例において、上記の方式に従って、充電対象機器の第２の制御回路３０２によって制御情報を含むデータパケット信号が無線受信回路３０１のコイルに結合され、無線送信回路２０１のコイルに送信することができ、その後、無線充電装置の第１のコントローラに伝送することができる。制御情報は、上記のエラー値を含むことができる。
【０１１０】
ステップＳ６６において、制御情報が終了伝送情報である場合、無線充電を停止する。
ステップＳ６７において、制御情報がエラー情報である場合、エラー情報に基づいて無線送信回路２０１の送信電力を調整する。
【０１１１】
例えば、上記の方式（１）又は（３）で送信電力を調整することができる。
【０１１２】
ステップＳ６８において、無線充電中に、充電対象機器と無線通信して、充電対象機器によってフィードバックされた電圧及び／又は電流（例えば、バッテリに流入される電圧及び／又は電流）を取得する。
【０１１３】
ステップＳ６９において、フィードバックされた電圧及び／又は電流に基づいて電圧変換回路２０３の出力電圧及び／又は出力電流を調整して、電磁信号の送信電力を調整する。
【０１１４】
例えば、上記の（１）至（３）のうちのいずれか、又は様々方式で送信電力を調整することができる。
【０１１５】
第１の充電モードを採用しても、第２の充電モードを採用しても、充電終了条件を満たす場合、無線充電を停止することを理解されたい。例えば、充電対象機器が充電表面から離れることが検出された場合、充電終了条件を満たす。又は充電中に異常な状況（過電圧、過電流、過熱等）が発生することが検出された場合、充電終了条件を満たす。
【０１１６】
本開示の一実施例において、第１の充電モードを採用する場合、充電対象機器の無線受信回路３０１の出力電圧は、電圧変換回路２０３の出力電圧によって決定される。本開示の一実施例において、降圧回路３０３の入力電圧と出力電圧との電圧差を低減することによって、降圧回路３０３の作動効率を向上させ、温度上昇を低減する。一実施例において、降圧回路３０３の入力電圧は、無線受信回路３０１の入力電圧によって決定されるため、無線受信回路３０１の入力電圧を低減することによって、降圧回路３０３の電圧差を小さくすることができる。
【０１１７】
本開示の実施例の無線充電装置及び／又は充電対象機器は、第１の充電モードのみによって無線充電を行うことができ、又は第１の充電モード及び第２の充電モードを同時にサポートして無線充電を行うことを理解されたい。本開示の実施例はこれを限定しない。
【０１１８】
一実施例において、バッテリ３０５の充電電流の一定を確保するために、無線受信回路３０１の入力電圧を低減する場合、無線受信回路３０１の入力電流を増加させる必要がある。入力電流を増加させると、受信コイルの電流が増加して、コイルの温度上昇が増加する。これにより、本開示の一実施例の無線充電装置の第１の制御回路２０２は、充電対象機器によってフィードバックされた降圧回路３０３の出力電流と、予め設定された電流閾値とに基づいて、電圧変換回路２０３の出力電圧を調整する。
【０１１９】
一実施例において、電流閾値は、第１の電流閾値と第２の電流閾値とを含み、その中、第１の電流閾値は、第２の電流閾値より大きい。第１の制御回路２０２は、降圧回路３０３の出力電流が第１の電流閾値より大きい場合、電圧変換回路２０３の出力電圧を上げるように制御し、降圧回路３０３の出力電流が第２の電流閾値より小さい場合、電圧変換回路２０３の出力電圧を低減するように制御するために用いられる。
【０１２０】
送信電力が一定である場合には、降圧回路３０３の出力電流が第１の電流閾値より大きい場合、降圧回路３０３の電圧差が予め設定された条件を満たしていても、受信コイルの電流が過大になることによってコイルが発熱することを理解されたい。したがって、電圧変換回路２０３の出力電圧を上げるように制御することによって、電流を低減し、コイルの発熱を低減することが有利になる。降圧回路３０３の出力電流が第２の電流閾値より小さい場合、降圧回路３０３の電圧差が増加し、降圧回路３０３が発熱する。これにより、電圧変換回路２０３の出力電圧を低減するように制御することによって、降圧回路３０３の電圧差を低減し、降圧回路３０３の発熱を低減することができる。
【０１２１】
一実施例において、デバッグ段階のデータ又は複数回のテストデータなどによって温度上昇モデルデータベースを構築し、充電コイル上で許容される最大電流閾値（すなわち上記の第１の電流閾値）を決定し、及び上記の第２の電流閾値を決定することができる。
【０１２２】
本開示の一実施例において、無線充電装置の第１の制御回路２０２は、充電対象機器によってフィードバックされた降圧回路３０３の出力電圧と、予め設定された電圧差と、充電効率との対応関係に基づいて、電圧変換回路２０３の出力電圧を調整することができる。
【０１２３】
一実施例において、降圧回路３０３の作動特性に基づいて、デバッグ及びテストによって、降圧回路３０３の効率が最適な時の電圧差を取得し、電圧差と充電効率との対応関係を決定することができる。充電効率は、温度上昇によって反映されることができ、例えば、充電効率は温度上昇に反比例し、充電効率が高いほど、温度上昇が低くなる。
【０１２４】
一実施例において、電圧差は、バッテリ３０５入力電圧と電圧変換回路２０３の出力電圧との間の電圧差であってもよい。いくつかの実施例において、降圧回路３０３の電圧差は、バッテリ電圧と以下の電圧のうちのいずれかに基づいて取得され、無線送信回路の出力電圧、無線受信回路の出力電圧、降圧回路３０３の入力電圧、電圧変換回路の出力電圧のうちのいずれかの電圧であることを理解されたい。
【０１２５】
これにより、降圧回路３０３の電圧差及び上記の対応関係に基づいて、電圧変換回路２０３の出力電圧を調整して、最適な充電効率に達することができる。又は、フィードバックされた降圧電圧の出力電圧に基づいて、バッテリ３０５の入力電圧を決定し、決定されたバッテリ３０５の入力電圧と電圧変換回路２０３の出力電圧との間の電圧差及び上記の対応関係に基づいて、電圧変換回路２０３の出力電圧を調整して、最適な充電効率に達する。
【０１２６】
本開示の一実施例において、上記の二つの電圧変換回路２０３の電圧を調整する方式を組み合わせることができ、すなわち、充電対象機器によってフィードバックされた降圧回路３０３の出力電圧と、予め設定された電圧差と充電効率との対応関係とに基づいて、前記電圧変換回路２０３の出力電圧を第１の電圧に調整し、及び前記電圧変換回路２０３の出力電圧を第１の電圧に調整した後、充電対象機器によってフィードバックされた降圧回路３０３の出力電流と予め設定された電流閾値とに基づいて、電圧変換回路２０３の出力電圧を第２の電圧に調整することができる。これにより、電圧変換回路２０３の出力電圧を粗調整及び微調整することができ、調整の精度を確保することができる。
【０１２７】
図７を参照すると、本開示の一実施例の無線充電方法の概略フローチャートである。当該無線充電方法は、充電対象機器に適用される。
【０１２８】
ステップＳ７１において、無線充電装置によって送信された電磁信号を受信し、電磁信号を第１電圧と第１電流とに変換する。
【０１２９】
ステップＳ７２において、前記第１電圧を降圧処理して、充電対象機器におけるバッテリを充電するための電圧及び／又は電流を取得する。
【０１３０】
ステップＳ７３において、バッテリに流入される電圧及び／又は電流を検出する。
【０１３１】
ステップＳ７４において、無線充電装置が電磁信号の送信電力を調整するように、検出された電圧及び／又は電流に基づいて、無線充電装置と通信する。
【０１３２】
一実施例において、検出されたバッテリに流入される電圧及び／又は電流に基づいて、無線充電装置と通信するステップは、
検出された電圧及び／又は電流に基づいて、無線充電装置に調整情報を送信するステップを含み、調整情報は、電磁信号の送信電力を調整するために、無線充電装置を指示して電源提供機器から受信した電気エネルギー対して電圧及び／又は電流調整を行うことを指示するものである。
【０１３３】
一実施例において、方法は、
変換回路を使用して３０７無線受信回路３０１の出力電圧と出力電流とを受信し、無線受信回路３０１の出力電圧及び／又は出力電流を定電圧制御及び／又は定電流制御して、バッテリ３０５を充電するステップと、
無線充電装置と通信して、降圧回路３０３の作動を制御するか、又は変換回路３０７の作動を制御するか、を決定するステップと、をさらに含む。
【０１３４】
図８を参照すると、本開示の別の実施例の無線充電方法の概略フローチャートである。当該無線充電方法は、無線充電装置に適用される。
【０１３５】
ステップＳ８１において、電圧変換回路２０３を使用して入力電圧を受信し、入力電圧を変換して、電圧変換回路２０３の出力電圧と出力電流とを取得する。
【０１３６】
ステップＳ８２において、無線送信回路２０１を使用して電圧変換回路２０３の出力電圧と出力電流とに基づいて電磁信号を送信して、充電対象機器を無線充電する。
【０１３７】
ステップＳ８３において、無線充電中に、充電対象機器と無線通信して、充電対象機器によってフィードバックされた電圧及び／又は電流を取得し、またフィードバックされた電圧及び／又は電流に基づいて電圧変換回路２０３の出力電圧及び／又は出力電流を調整して、電磁信号の送信電力を調整する。
【０１３８】
上記の方法の各ステップの具体的な実現の詳細は、上記の実施例で説明されており、ここでは省略することを理解されたい
【０１３９】
本開示の実施例において、降圧回路３０３によって出力される電流は、定電流直流電流、脈動直流電流、又は交流電流であり。
【０１４０】
本開示の実施例において、第１の充電チャネル３０６又は第２の充電チャネル３０８を使用するバッテリ３０５の充電プロセスは、いずれもトリクル充電段階、定電流充電段階、定電圧充電段階を含むことができる。なお、本開示の実施例で説明される定電流充電段階は、必ず充電電流が一定であるとは限らす、例えば、充電電流のピーク値又は平均値が一定期間一定であることを指すことができる。実際には、定電流充電段階は、多段階定電流の方式で充電することができる。
【０１４１】
多段階定電流充電（Ｍｕｌｔｉ−ｓｔａｇｅ  ｃｏｎｓｔａｎｔ  ｃｕｒｒｅｎｔ  ｃｈａｒｇｉｎｇ）がＮ個の定電流段階（Ｎが２以上の整数である）を有することができる。多段階定電流充電は、所定の充電電流で第１の段階である充電を始めることができる。前記多段階定電流充電のＮ個の定電流段階は、第１の段階から第（Ｎ−１）段階まで順次に実行される。定電流段階における前の定電流段階から次の充電定電流段階に入った後、充電電流値が小さくなることがある。バッテリ３５０電圧が充電終止電圧閾値に達した場合に、定電流段階における前の充電段階から次の充電段階に入る。隣接する２つの定電流段階間の電流転換過程は、緩やかに変動してもよいし、階段的にジャンプ変動してもよい。
【０１４２】
本開示の実施例は、無線充電装置と充電対象機器との間の通信方式と通信順序とを具体的には限定しない。
【０１４３】
選択可能に、いくつかの実施例において、無線充電装置と充電対象機器（又は第２の制御回路３０２と第１の制御回路２０２）との間の無線通信は、単方向の無線通信であってもよい。
【０１４４】
例えば、バッテリ３０５の無線充電中に、充電対象機器が通信の開始側として、無線充電装置が通信の受信者として規定することができる。例えば、バッテリ３０５の定電流充電段階において、充電対象機器は、検出回路３０４を介してバッテリ３０５の充電電流（すなわち無線受信回路３０１の出力電流）をリアルタイムで検出することができる。バッテリ３０５の充電電流がバッテリ３０５の現在必要とする充電電流とマッチングしない場合、充電対象機器は、無線充電装置に調整情報を送信して、無線充電装置が無線送信回路２０１の送信電力を調整することを指示する。
【０１４５】
選択可能に、いくつかの実施例において、無線充電装置と充電対象機器（または第２の制御回路３０２と第１の制御回路２０２）との無線通信は、双方向無線通信であってもよい。双方向無線通信は、一般に、受信側が、送信側によって開始された通信要求を受信した後に、送信側に応答情報を送信することを要求し、双方向通信メカニズムは通信プロセスをより安全にすることができる。
【０１４６】
本開示の実施例の上記説明は、無線充電装置（無線充電装置内の第１の制御回路２０２）および充電対象機器（充電対象機器内の第２の制御回路３０２）のマスタスレーブを限定するものではない。言い換えると、無線充電装置と充電対象機器とのいずれか一方がマスタ機器側として双方向通信会話を開始することができ、これに応じて、他方がスレーブ機器側としてマスタ機器側から開始された通信に対して第１の応答または第１の返事を行うことができる。実行可能な方式として、通信中に無線充電装置と充電対象機器との間のリンク状況に応じてマスター装置およびスレーブ機器を決定することができる。例えば、無線充電装置が充電対象機器に情報を送信する無線リンクが上りリンクであり、充電対象機器が無線充電装置に情報を送信する無線リンクが下りリンクであると仮定すると、上りリンクのリンク品質が良い場合、無線充電装置を通信のマスタ機器とすることができ、下りリンクのリンク品質が良い場合、充電対象機器を通信のスレーブ機器とすることができる。
【０１４７】
本開示の実施例において、無線充電装置と充電対象機器との双方向通信の具体的な実現形態が限定されない。すなわち、無線充電装置と充電対象機器との何れか一方は、マスタ機器側として通信会話を開始し、これに応じて、他方がスレーブ機器側としてマスタ機器側から開始された通信に対して第１の応答または第１の返事を行い、同時にマスタ機器側がスレーブ機器側からの第１の応答または第１の返事に対して第２の応答を行うことができたとき、マスタ機器とスレーブ機器との間で１回の通信ネゴシエーションプロセスが完了したと見なすことができる。
【０１４８】
マスタ機器側がスレーブ機器の通信会話に対する第１の応答または第１の返事に基づいて第２の応答を行うことができる一方式として、マスタ機器側が、スレーブ機器側の通信会話に対する第１の応答または第１の返事を受信し、受信したスレーブ機器の第１の応答または第１の返事に応じた第２の応答を行う方式であってもよい。
【０１４９】
マスタ機器側がスレーブ機器側の通信会話に対する第１の応答または第１の返事に基づいて更なる第２の応答を行うことができる一方式として、マスタ機器側が、スレーブ機器側の通信会話に対する第１の応答または第１の返事を所定の時間内に受信しなくても、マスタ機器側も、スレーブ機器の通信会話に対する第１の応答または第１の返事に応じた第２の応答を行う方式であってもよい。
【０１５０】
選択可能に、いくつかの実施例において、充電対象機器がマスタ機器として通信会話を開始し、無線充電装置がスレーブ機器側としてマスタ機器側から開始された通信会話に対して第１の応答または第１の返事を行った後、充電対象機器が、無線充電装置の第１の応答または第１の応答に応じた第２の応答を行わなくても、無線充電装置と充電対象機器との間で１回の通信ネゴシエーションプロセスが完了したと見なすことができる。
【０１５１】
本開示の実施例において、無線充電装置における第１の制御回路２０２と、充電対象機器における第２の制御回路３０２との無線通信方式が特に限定されない。例えば、第１の制御回路２０２および第２の制御回路３０２は、ブルートゥース（ｂｕｌｅｔｏｏｔｈ）、無線フィデリティ（ｗｉｒｅｌｅｓｓ  ｆｉｄｅｌｉｔｙ、Ｗｉ−Ｆｉ）またはバックスキャッタ（ｂａｃｋｓｃａｔｔｅｒ）変調方式（または電力負荷変調方式）に基づく無線通信を行うことができる。
【０１５２】
以上のように、無線充電中に、第２の制御回路３０２は、第１の制御回路２０２が無線送信回路２０１の送信電力を調整するように、検出回路３０４によって検出された第１の充電チャネル３０６上の電圧及び／又は電流に基づいて、第１の制御回路２０２と無線通信することができる。しかし、本開示の実施例は、第２の制御回路３０２と第１の制御回路２０２との間の通信内容を具体的には限定しない。
【０１５３】
一例として、第２の制御回路３０２は、検出回路３０４によって検出された第１の充電チャネル３０６の出力電圧および／または出力電流を第１の制御回路２０２に送信することができる。さらに、第２の制御回路３０２は、第１の制御回路２０２にバッテリ３０５状態情報を送信することができ、バッテリ３０５状態情報は、充電対象機器内のバッテリ３０５の現在電力残量および／または現在電圧を含む。第１の制御回路２０２は、まず、バッテリ３０５の状態情報に基づいて、バッテリ３０５の現在の充電段階に決定され、そしてバッテリ３０５が現在必要とする充電電圧および／または充電電流とマッチングする目標充電電圧および／または目標充電電流を決定することができる。次に、第１の制御回路２０２は、第２の制御回路３０２によって送信された第１の充電チャネル３０６の出力電圧および／または出力電流を目標充電電圧および／または目標充電電流と比較して、第１の充電チャネル３０６の出力電圧および／または出力電流がバッテリ３０５の現在必要とする充電電圧および／または充電電流とマッチングするか否かを決定し、第１の充電チャネル３０６の出力電圧および／または出力電流がバッテリ３０５の現在必要とする充電電圧および／または充電電流とマッチングしない場合、第１の充電チャネル３０６の出力電圧および／または出力電流がバッテリ３０５の現在必要とする充電電圧および／または充電電圧とマッチングするまで無線送信回路２０１の送信電力を調整することができる。
【０１５４】
別の例として、第２の制御回路３０２は、無線送信回路２０１の送信電力を調整することを指示するための調整情報を第１の制御回路２０２に送信することができる。例えば、第２の制御回路３０２は、無線送信回路２０１の送信電力を上げることを第１の制御回路２０２に指示することができる。また、例えば、無線送信回路２０１の送信電力を低減することを第１の制御回路２０２に指示することができる。より具体的には、無線充電装置は、無線送信回路２０１の送信電力のランクを複数設定することができ、第１の制御回路２０２は、第１の充電チャネル３０６の出力電圧および／または出力電流をバッテリ３０５が現在必要とする充電電圧および／または充電電流とマッチングするまで、調整情報を受信する度に無線送信回路２０１の送信電力のランクを１ランク調整する。
【０１５５】
上記の通信内容に加えて、第１の制御回路２０２と第２の制御回路３０２とは、他の多くの通信情報をインタラクションすることができる。いくつかの実施例において、第１の制御回路２０２と第２の制御回路３０２とは、セキュリティ保護、異常検出、または故障処理の情報、例えば、バッテリ３０５の温度情報、過電圧保護または過電流保護に流入されることを示す情報、電力伝送効率情報（当該電力伝送効率情報は、無線送信回路２０１と無線受信回路３０１との間の電力伝送効率を示すことができる）をインタラクションすることができる。
【０１５６】
例えば、バッテリ３０５の温度が高すぎる場合、第１の制御回路２０２および／または第２の制御回路３０２は、充電回路を制御して、無線充電を停止させるなど、保護状態に入ることができる。また、例えば、第１の制御回路２０２が第２の制御回路３０２から送信された過電圧保護または過電流保護の指示情報を受信した後、第１の制御回路２０２が送信電力を減少させるか、または無線送信回路２０１を作動停止するように制御することができる。また、例えば、第１の制御回路２０２が第２の制御回路３０２から送信された電力伝送効率情報を受信した後、電力伝送効率が所定の閾値より低い場合、無線送信回路２０１を作動を停止するように制御するとともに、ユーザにこの事件を報知することができ、例えば、ディスプレイによって電力伝送効率が低すぎることを示すか、またはインジケータライトによって電力伝送効率が低すぎることを示すことにより、ユーザは無線充電環境を調整することができる。
【０１５７】
いくつかの実施例において、第１の制御回路２０２および第２の制御回路３０２は、無線送信回路２０１の送信電力を調整するための他の情報、例えば、バッテリ３０５の温度情報、第１の充電チャネル３０６の電圧および／または電流ピーク値または平均値を示す情報、電力伝送効率情報（当該電力伝送効率情報が無線送信回路２０１と無線受信回路３０１との間の電力伝送効率を示すことができる）などをインタラクションすることができる。
【０１５８】
例えば、第２の制御回路３０２は、第１の制御回路２０２に電力伝送効率情報を送信することができ、第１の制御回路２０２は、さらに、電力伝送効率情報に基づいて無線送信回路２０１の送信電力の調整幅を決定する。具体的には、電力伝送効率情報が無線送信回路２０１と無線受信回路３０１との間の電力伝送効率が低いことを示す場合、第１の制御回路２０２は、無線送信回路２０１の送信電力の調整幅を広げて、無線送信回路２０１の送信電力を急速に目標電力に達させることができる。
【０１５９】
別の例として、無線受信回路３０１が脈動波形の電圧及び／または電流を出力する場合、第２の制御回路３０２は、第１の充電チャネル３０６の出力電圧および／または出力電流ピーク値または平均値を示す情報を第１の制御回路２０２に送信することができ、第１の制御回路２０２は、第１の充電チャネル３０６の出力電圧および／または出力電流ピーク値または平均値がバッテリの現在必要とする充電電圧および／または充電電流とマッチングするか否かを判断することができる。マッチングしない場合、無線送信回路２０１の送信電力を調整することができる。
【０１６０】
また、例えば、第２の通信制御回路３０２は、バッテリ３０５の温度情報を第１の第１の制御回路２０２に送信することができる。バッテリ３０５の温度が高すぎる場合、第１の第１の制御回路２０２は、無線伝送回路２０１の伝送電力を下げることができるため、無線受信回路３０１の出力電流を小さくし、バッテリ３０５の温度を低くすることができる。
【０１６１】
以上、図面を組み合わせて本開示の好適な実施形態を詳細に説明するが、本開示は、上記の実施形態における具体的な詳細に限定されるものではなく、本開示の技術的思想範囲内に、本開示の技術案に対して様々な簡単な変形を行うことができ、これらの簡単な変形は、いずれも本開示の保護範囲に属する。
【０１６２】
なお、上記の具体的な実施形態で説明される各具体的な技術的特徴は、矛盾しない場合には、任意の適切な方式によって組み合わせることができ、不必要な重複を回避するために、本開示では、様々な可能な組み合わせの方式について別途に説明しない。
【０１６３】
また、本開示の様々な異なる実施形態間で任意の組み合わせを行うことも可能であり、本開示の思想を反しない限り、本開示によって開示された内容とみなすべきである。
【図１】
0006942883.tif 000002
【図２】
0006942883.tif 000003
【図３】
0006942883.tif 000004
【図４】
0006942883.tif 000005
【図５】
0006942883.tif 000006
【図６】
0006942883.tif 000007
【図７】
0006942883.tif 000008
【図８】
0006942883.tif 000009